(57)【特許請求の範囲】
【請求項１】
下部走行体と、
前記下部走行体上に旋回可能に搭載される上部フレームと、
前記上部フレームの前・後方に装着される運転室及びエンジンルームと、
前記上部フレームに取り付けられるブーム、アーム及びバケットと、これらをそれぞれ駆動させる油圧シリンダを含める作業装置と、
前記上部フレームの後方に装着され、作業時、建設機械の均衡を維持するカウンターウェイトと、
建設機械の後方から前方に開放されるように上部フレームに装着され、収納空間を形成するツールボックスドアと、
前記ツールボックスドアの外側面に装着されたボタンを押圧時、ツールボックスドアを開放させるガスばねとを含めることを特徴とする前側方向に開放されるツールボックスを有する建設機械。
【請求項２】
前記ガスばねによりツールボックスドアを開放するに際し、ツールボックスドアの突然の開放を防止するダンピング用弾性部材をさらに含めることを特徴とする請求項１に記載の前側方向に開放されるツールボックスを有する建設機械。
【請求項３】
前記ガスばね及びダンピング用弾性部材を外部衝撃から保護し得るように、上部フレームに装着される保護具及び補助手掛かりをさらに含めることを特徴とする請求項２に記載の前側方向に開放されるツールボックスを有する建設機械。
【請求項４】
前記ツールボックスドアの開放時、
エンジンルームに上ることができるように上部フレームに形成される乗降用ステップをさらに含めることを特徴とする請求項３に記載の前側方向に開放されるツールボックスを有する建設機械。
【請求項５】
前記乗降用ステップの一側に形成される乗降用手掛かりをさらに含めることを特徴とする請求項４に記載の前側方向に開放されるツールボックスを有する建設機械。
【請求項６】
前記乗降用ステップの上面から突出し、乗降時に足を滑らせることを防止するエンボス部をさらに含めることを特徴とする請求項５に記載の前側方向に開放されるツールボックスを有する建設機械。
【請求項７】
前記エンボス部に貫通孔を形成することを特徴とする請求項６に記載の前側方向に開放されるツールボックスを有する建設機械。
【発明の詳細な説明】
【技術分野】
【０００１】
本発明は、掘削機などの上部フレームに取り付けられるツールボックスのドアを容易に開閉することができ、且つ、オペレータがエンジンルームに上る場合に用いられるハンドレールなどの補助構造物を不要とすることから、コスト削減を図ることができるようにした前側方向に開放されるツールボックスを有する建設機械に係る。
【０００２】
さらに詳細には、ボタンへの押圧を通じてツールボックスのドアを簡単に開閉することができ、且つ、ツールボックスドアの形状が設計自在であるから、収納スペースを充分に確保することができるようにした前側方向に開放されるツールボックスを有する建設機械に係る。
【背景技術】
【０００３】
図１に示したように、無限軌道式掘削機は、
下部走行体１と、
下部走行体１の上に旋回可能に搭載される上部フレーム２と、
上部フレーム２の前方及び後方に装着される運転室３及びエンジンルーム４と、
上部フレーム２に取り付けられるブーム５、アーム６及びバケット７と、これらをそれぞれ駆動させる油圧シリンダ８、９、１０を含める作業装置１１と、
上部フレーム２の後方に装着され、作業時、建設機械の均衡を維持することができるようにするカウンターウェイト１２とを含める。
【０００４】
図１に示したように、従来技術による建設機械用ツールボックスは、
ツールボックスドア１３が上部フレーム２に前方から後方に開放されるように装着され、オペレータがツールボックスドア１３を踏み台にして安全に乗降することができるようにハンドレール１６及び滑り止め部１７が設けられる。
【０００５】
図中、説明されていない図面符号１４は、走行時又は作業時、ツールボックスドア１３の遊動及び振動を防止することができるようにツールボックス胴体１５にツールボックスドア１３を着脱可能に取り付けるためのキャッチ(ｃａｔｃｈ)である。
【０００６】
従来技術のツールボックス構造では、エンジンルーム４内に装着の部品等の性能を点検したい場合、当該部品を修理又は交換するためにはオペレータがツールボックスのドアを必ず踏み台とし、エンジンルームに上るようになっていた。この際、ハンドレール１６、滑り止め部１７のような別の安全用補助構造物の利用を必要とするので、高コストを招来するおそれがあった。
【０００７】
また、エンジンルーム４に上る場合、ツールボックスドア１３が移動通路として用いられるので、オペレータが踏み台にしているツールボックスドア１３の上面は平らになっており、ツールボックスの断面は階段形状をなすように形成される。これにより、ツールボックスドア１３を上部フレーム２に装着するに際し、大きさ及び形状に構造的な制約を受けることになる。
【０００８】
さらに、ツールボックスドア１３が前方から後方に向けて開放(ツールボックスドア１３が建設機械の下から上に向けて開放される)されるので、ツールボックスドア１３を上部フレーム２に装着するに当たり、構造的な制約を受けるという問題があった。
【０００９】
また、キャッチ１４のロックを解除すると、運転者の意思に反してツールボックスドア１３が随時且つ簡単に開放されることができるので、損傷を受けられる問題があった。
【発明の開示】
【発明が解決しようとする課題】
【００１０】
本発明の実施例は、上部フレームに装着されているツールボックスドアをボタン及びガスばねを介して開閉し、且つ、ツールボックスドアの形状を自由に設計変更することができるので、収納空間を充分確保することができ、オペレータに利便性を提供するようにした前側方向に開放されるツールボックスを有する建設機械に係る。
【００１１】
また、本発明の実施例は、オペレータがエンジンルームに上る場合、ツールボックスドアを踏まずに乗降できるので、損傷及び変形を防止することができ、且つ、ハンドレール及び滑り止め部などの補助構造物が不要となるので、コスト削減が図れる前側方向に開放されるツールボックスを有する建設機械に係る。
【課題を解決するための手段】
【００１２】
本発明の実施例による、前側方向に開放されるツールボックスを有する建設機械は、
下部走行体と、
下部走行体上に旋回可能に搭載される上部フレームと、
上部フレームの前・後方に装着される運転室及びエンジンルームと、
上部フレームに取り付けられるブーム、アーム及びバケットと、これらをそれぞれ駆動させる油圧シリンダを含める作業装置と、
上部フレームの後方に装着され、作業時、建設機械の均衡を維持するためのカウンターウェイトと、
建設機械の後方から前方に向けて開放されるように上部フレームに装着され、収納空間を形成するツールボックスドアと、
ツールボックスドアの外側面に装着のボタンを押圧すると、ツールボックスドアを開放させるガスばねとを含める。
【００１３】
望ましい実施例によれば、前述したガスばねによりツールボックスドアを開放時、ツールボックスドアの突然の開放を防止するダンピング用弾性部材をさらに含める。
【００１４】
前述したガスばね及びダンピング用弾性部材を外部衝撃から保護することができるように、上部フレームに装着の保護具をさらに含める。
【００１５】
前述したツールボックスドアの開放時、エンジンルームに上るように上部フレームに形成される乗降用ステップをさらに含める。
【００１６】
前述した乗降用ステップの一側に形成される乗降用手掛かりをさらに含める。
【００１７】
前述した乗降用ステップの上面から突出し、乗降時に足が滑られることを防止するエンボス部をさらに含める。
【００１８】
前述したエンボス部に貫通孔が形成される。
【発明の効果】
【００１９】
前述したように、本発明の実施例による前側方向に開放されるツールボックスを有する建設機械は、次のような効果を奏する。
掘削機の上部フレームに装着されるツールボックスをボタン及びガスばねを介して開閉し、且つ、ツールボックスドアの形状を自由に設計・変更することが可能であることから、収納空間の拡張が図れる。また、拡張された収納空間を有用に活用でき、オペレータに利便性を提供することが可能となる。
【００２０】
また、オペレータがエンジンルームに上る場合、ツールボックスドアを直接踏まずに上ることができるので、損傷及び変形を防止し、使用寿命を延長することができると共に、ハンドレール及び滑り止め部などの安全用補助構造物を不要とするので、コスト削減にもつながる。
【発明を実施するための最良の形態】
【００２１】
以下、本発明の望ましい実施例を添付図面に基づいて説明するが、これは本発明に属する技術分野において通常の知識を有する者が発明を容易に実施し得る程度に詳細に説明するためのものであって、これにより本発明の技術的思想及び範疇が限定されることを意味するのではない。
【００２２】
図２ないし図４に示したように、本発明の実施例による前側方向に開放されるツールボックスを有する建設機械は、
下部走行体１と、
下部走行体１の上に旋回可能に搭載される上部フレーム２と、
上部フレーム２の前・後方に装着される運転室３及びエンジンルーム４と、
上部フレーム２に回動可能に取り付けられるブーム５、アーム６及びバケット７と、これらをそれぞれ駆動させる油圧シリンダ８、９、１０を含める作業装置１１と、
上部フレーム２の後方に装着され、作業時、建設機械の均衡を維持するカウンターウェイト１２と、
建設機械の後方から前方に向けて開放されるように上部フレーム２に装着され、収納空間１８を形成するツールボックスドア１３と、
ツールボックスドア１３の外側面に装着されたボタン１９を押圧すると、ツールボックスドア１３を開放させるガスばね２０とを含める。
【００２３】
前述したガスばね２０によりツールボックスドア１３を開放する場合、ツールボックスドア１３の突然の開放を防止するダンピング用弾性部材２１(一例で、引張コイルばねが用いられる)を含める。
【００２４】
前述したガスばね２０及びダンピング用弾性部材２１を外部衝撃から保護することができるように上部フレームに装着される保護具及び補助手掛かり２２を含める。
【００２５】
前述したツールボックスドア１３の開放時、エンジンルーム４に上ることができるように上部フレーム２に形成される乗降用ステップ２３を含める。
【００２６】
前述した乗降用ステップ２３の上面から突出し、乗降時に足が滑られることを防止するエンボス部２４を含む。
【００２７】
前述したエンボス部２４に貫通孔２５が形成される。
【００２８】
前述した乗降用ステップ２３の一側(又は作動油タンクの側面に取り付けられる)に形成される乗降用手掛かり２６を含める。
【００２９】
この際、前述した下部走行体１、上部フレーム２、エンジンルーム４及び作業装置１１などを含める構成は、図１に示したものと実質的に同一に適用されるので、これら構成についての詳細な説明は省略し、同じ構成要素には同じ図面符号を付する。
【００３０】
以下で、本発明の実施例による前側方向に開放されるツールボックスを有する建設機械の使用例を添付図面に基づいて説明する。
【００３１】
図４に示したように、エンジンルーム４内に設けられる油圧ポンプなどの性能を確認したり、当該部品を修理又は交換するためにエンジンルーム４の上部に上る場合、ツールボックスドア１３の外側面に設けられたボタン１９を押圧時、ガスばね２０が伸張駆動するので、ツールボックスドア１３は、上部フレーム２に取り付けられたヒンジ部(一例で、蝶番が用いられる)を中心軸として回転し(時計方向に回転する)、建設機械の後方から前方に向けて開放される。
【００３２】
この際、ガスばね２０により開放されるツールボックスドア１３は、ダンピング用弾性部材２１(引張コイルばねが用いられる)の引張力により急激に開放されることが防止される。
【００３３】
したがって、オペレータは、下部走行体１と、上部フレーム２に設けられた乗降用ステップ２３との順に足を運び、エンジンルーム４の上部に上ることができる。この際、オペレータは、乗降用ステップ２３の一側に設けられた乗降用手掛かり２６、保護具及び補助手掛かり２２を掴むことにより、安全を確保した状態で上ることができる。
【００３４】
冬や梅雨時にエンジンルーム４に上る場合、乗降用ステップ２３の上面から突出したエンボス部２４及びエンボス部２４の中央に形成された貫通孔２５によりオペレータが足を滑らせる危険を防止することができる。
【００３５】
ツールボックスドア１３を閉じると、乗降用ステップ２３及び乗降用手掛かり２６は、ツールボックスドア１３の収納空間１８に収容されることにより隠蔽される。これにより運転者の意思に反してツールボックスを踏み台にしてエンジンルーム４の上部に上ることを制限することができる。
【００３６】
一方、ガスばね２０及びダンピング用弾性部材２１の外側に“∩”形状の保護具及び補助手掛かり２２が設けられていることによって、外部衝撃から保護することができる。また、下部走行体１に上り、次にエンジンルーム４に上る場合、保護具及び補助手掛かり１３を掴むことにより安全に乗降することができる。
【００３７】
前述したツールボックスドア１３をガスばね２０により建設機械の前方側に開放させることによって、広くなった収納空間１８を多く確保することができる。収納空間１８により大きいサイズの工具箱などを保管することができ、オペレータにとり利便性を提供することが可能となる。
【００３８】
オペレータがエンジンルーム４の上部に上る場合、ツールボックスドア１３を踏まなくても良いので(即ち、ツールボックスドア１３が乗降用ステップの機能を果たさない)、ツールボックスドア１３の破損及び変形を起こさない。
【００３９】
また、上部フレーム２に装着されるツールボックスドア１３の大きさ及び形状を自由に設計・変更することが可能であるので、建設機械の外観を向上することができる。
【００４０】
一方、ボタン１９の中央に形成のキー挿入口１９ａに挿入されるキーを操作し、ツールボックスドア１３をロックすることができる。これにより、ボタン１９を押圧する場合でも、ガスばね２０の伸張駆動を防止することができるので、ツールボックスドア１３を開放することができない。
【図面の簡単な説明】
【００４１】
【図１】無限軌道式掘削機の斜視図である。
【図２】本発明の実施例による前側方向に開放されるツールボックスを有する建設機械の使用状態図である。
【図３】図２に図示のツールボックスドアの閉鎖状態を示す概略図である。
【図４】図２に図示のツールボックスドアが開放されたことを表す図面である。
【符号の説明】
【００４２】
２  上部フレーム
４  エンジンルーム
１３  ツールボックスドア
１８  収納空間
１９  ボタン
２０  ガスばね
２１  ダンピング用弾性部材
２２  保護具及び補助手掛かり
２３  乗降用ステップ
２４  エンボス部
２５  貫通孔
２６  乗降用手掛かり
【図１】
0005192959.tif 000002
【図２】
0005192959.tif 000003
【図３】
0005192959.tif 000004
【図４】
0005192959.tif 000005